(57)【要約】【課題】  旗が絡まらない旗竿を提供する。【解決手段】  旗布２の一部を保持して、旗布２を掲揚する旗竿１が、旗竿本体１１と、上記旗竿本体１１に旗竿本体１１を中心軸として回転可能に外嵌され、旗布２の一辺の端部を保持するスリーブ１２と、を備える。これにより、旗布２を旗竿１に安定して保持するとともに、旗布２が風によって靡く方向に応じてスリーブ１２が回転するので、旗布２の旗竿１への絡まりが防がれる。【選択図】  図１
2005122029.tif 000002
【特許請求の範囲】
【請求項１】
軸棒と、
上記軸棒に当該軸棒を中心軸として回転可能に外嵌され、旗の一部を保持する筒状体と、を備えていることを特徴とする旗竿。
【請求項２】
さらに、上記筒状体の軸方向の移動を規制する規制部材を有していることを特徴とする請求項１に記載の旗竿。
【請求項３】
上記規制部材が、軸棒に固定された鍔状物であることを特徴とする請求項２に記載の旗竿。
【請求項４】
上記筒状体が、旗の一部を取り付けられる取り付け部を有していることを特徴とする請求項１から３のいずれか１項に記載の旗竿。
【請求項５】
上記筒状体が、合成樹脂からなることを特徴とする請求項１から４のいずれか１項に記載の旗竿。
【請求項６】
一端部が固定構造物へ設置されるようになっていることを特徴とする請求項１から５のいずれか１項に記載の旗竿。
【発明の詳細な説明】
【技術分野】
【０００１】
本発明は、旗を掲揚する旗竿に関し、特に旗が絡まることが防止される旗竿に関するものである。
【背景技術】
【０００２】
一般に、布などからなる旗を掲揚する場合に、旗の一辺を旗竿に取り付けて、旗竿を固定構造物に設置する方法が知られている。最近、空間の有効利用や、旗を一層目立たせるために、固定構造物である工場の門柱、事務所玄関近傍の壁や柱に、非鉛直方向の軸棒を設置し、該軸棒に国旗、社旗、安全衛生旗などの旗を掲げる方法等が使用される。
【０００３】
しかしながら、このような旗竿に設置された旗は、風で巻き上げられ旗竿に絡まってしまい、自然に解除されないので、その都度人の手で絡まりを解除しなければならない。特に、旗を高所に掲げている場合には、絡まりの解除作業が困難になるため、旗が絡まった状態で放置せざるを得ない状況にあった。
【０００４】
このような旗の絡まりを防止するための構成としては、特許文献１〜３に宣伝用幟の構成が開示されている。なお、幟は、一般的に旗の側縁と上縁とに輪状の乳部材を形成し、旗竿あるいは吊棒に挿通することで張設される。
【０００５】
特許文献１では、旗の縦縁部に設けられて旗竿に取り付けられる側縁部乳部材に重りを取り付けることで、乳部材が旗竿（支持ポール）に沿って上昇しにくくし、幟が捲れあがることを防止するものである。また、重りを乳部材の輪が小さくなるように取り付けることで、乳部材が旗竿に沿って動きにくくすることも記載されている。
【０００６】
また、特許文献２は、旗の、旗竿（縦竿）および吊棒（横竿）に面しない角部に錘を配することで、強風が吹いて旗が旗竿に巻き付こうとした場合に、錘を配した部分で遠心力を働かせ、布が張られた状態で風を逃がしながら靡くようにしている。
【０００７】
さらに、特許文献３では、旗の縦縁部に設けられて旗竿に取り付けられる側縁部乳部材のうち最下部のものを旗から垂下する方向に垂らすことで、乳部材の重量の分だけ下方に引っ張る力を生じさせ、旗を捲れあがりにくくしている。
【特許文献１】特許第２８５５３１７号公報（１９９８年１１月２７日登録）
【特許文献２】実用新案第３０２４５０４号公報（１９９６年２月２８日登録）
【特許文献３】特許第３２６９７９５号公報（２００２年１月１８日登録）
【発明の開示】
【発明が解決しようとする課題】
【０００８】
しかしながら、特許文献１〜３の構成は、幟の上縁が保持されることを前提としており、旗の側縁のみを保持する旗竿の場合には適用できない。
【０００９】
本発明の目的は、旗の側縁のみを保持する旗竿についても、旗を安定に保持し、かつ旗が旗竿に絡まらない旗竿を提供することにある。
【課題を解決するための手段】
【００１０】
本発明に係る旗竿は、上記課題を解決するために、軸棒と、上記軸棒に当該軸棒を中心軸として回転可能に外嵌され、旗の一部を保持する筒状体と、を備えていることを特徴としている。
【００１１】
本発明に係る旗竿は、さらに、上記筒状体の軸方向の移動を規制する規制部材を有していることを特徴としている。
【００１２】
本発明に係る旗竿は、上記規制部材が、軸棒に固定された鍔状物であることを特徴としている。
【００１３】
本発明に係る旗竿は、上記筒状体が、旗の一部を取り付けられる取り付け部を有していることを特徴としている。
【００１４】
本発明に係る旗竿は、上記筒状体が、合成樹脂からなることを特徴としている。
【００１５】
本発明に係る旗竿は、一端部が固定構造物へ設置されるようになっていることを特徴としている。
【発明の効果】
【００１６】
本発明に係る旗竿は、以上のように、軸棒と、上記軸棒に当該軸棒を中心軸として回転可能に外嵌され、旗の一部を保持する筒状体と、を備えているため、旗の靡く方向にあわせて筒状体が軸棒を軸として回転するので、旗が旗竿の周りに巻きつくことがなく、旗が旗竿に絡まることが防がれる。
【００１７】
さらに、風にあおられて旗が旗竿に引っかかってしまっても、旗の重さや風の力で旗が旗竿から離れる方向に引っ張られるので、この力によって筒状体が回転して、旗の絡まりが自然に解除される。この絡まりの自然な解除は、旗竿が鉛直方向になるように配した場合も、非鉛直方向（斜めや横方向）になるように配した場合にも起こる。なお、旗の絡まりが自然に解けないほどに絡まった場合は、人が旗を旗竿から離れる方向に引っ張ることで簡単に旗の絡まりが解除される。
【００１８】
また、上記筒状体により、旗の一部が保持されるので、旗がよれることなく常に張った状態で安定に保持できる。つまり、例えば旗に輪状の部材を設けて旗竿を挿通するという構成により、旗の旗竿を軸にした回転を可能にすると、上記輪状の部材が旗竿上を移動して、安定して保持することができない。一方、本発明の構成によれば、旗を旗竿の筒状体に固定的に保持させ、さらに筒状体が旗の回転にあわせて回転するので、旗の絡まりを防ぐとともに、旗を安定に保持できるという効果を奏する。
【００１９】
また、本発明に係る旗竿は、以上のように、上記筒状体の軸方向の移動を規制する規制部材を有しているので、筒状体が軸棒から外れる事を防ぐとともに、筒状体を軸棒の一定位置に、すなわち、筒状体の軸方向の移動を防ぎながら外嵌することができる。筒状体の軸方向の移動が防がれると、旗の回転の力による筒状体の回転がよりスムーズになり、より確実に旗の絡まりが防がれる。さらに、軸棒の端部に、軸棒より短い筒状体を外嵌することができ、筒状体を軽くできるので回転がしやすくなる。
【００２０】
さらに、上記規制部材が、軸棒に固定された鍔状物であれば、筒状体の端部が上記規制部材の軸棒と略垂直な方向に広がる面に支持されながら回転するので、筒状体の回転をより滑らかにできる。
【００２１】
また、本発明に係る旗竿は、上記筒状体が、旗の一部が取り付けられる取り付け部を有しているので、筒状体に旗を簡単に取り付けることができる。
【００２２】
また、本発明に係る旗竿は、上記筒状体が合成樹脂からなるので、筒状体が軽量となり、旗の風による回転の力で容易に軸棒の周りを回転し、旗の絡まりを防ぐことができる。さらに、十分に丈夫で耐久性を有するため、破損することなく長期間使用できる。
【００２３】
また、本発明に係る旗竿は、一端部が固定構造物へ設置されるようになっているので、固定構造物への設置が可能となる。本発明の旗竿は、固定構造物への設置して使用する場合に適している。つまり、本発明の旗竿は、軸棒を固定して、旗を保持する筒状体が小さな力で回転するように軸棒に外嵌させたものであるので、軸棒を固定構造物に固定した場合に、好適に旗の絡まりを防ぐことができる。
【発明を実施するための最良の形態】
【００２４】
本発明の一実施形態について図１に基づいて説明すると以下の通りである。
【００２５】
本実施の形態の旗竿１は、旗竿本体（軸棒）１１、スリーブ（筒状体）１２、下部ストッパー（規制部材）１３、上部ストッパー（規制部材）１４からなり、方形の旗布（旗）２の一辺を保持して、旗布を掲揚するものである。なお、本実施の形態では、旗布２として、綿・ポリエステル混紡の縦９０ｃｍ（軸棒に取り付けられる辺）、横１．３ｍの方形の布を用いた。
【００２６】
旗竿本体１１は、少なくとも一端が固定構造物３に取り付けられるようになっており、旗竿１全体を支える役割を有する。なお、旗竿本体１１の固定構造物３への取り付けを補強するために、旗竿本体１１におけるスリーブ１２が設けられていない部分に補助取り付け部材を設け、固定構造物３への旗竿本体１１の取り付けをより一層強固にしてもよい。補助取り付け部材を、図１を用いて具体的に説明すれば、下部ストッパー１３より下の部分における固定構造物３への取り付け部分をＶ字型の補助取り付け部材（図示せず）にて補強するものであってもよいし、上部ストッパー１４より上の部分に設けられた紐状の補助取り付け部材（図示せず）を固定構造物に取り付けることで補強するものであってもよい。
【００２７】
旗竿本体１１の形状は、通常、直径５ｍｍ〜５ｃｍ程度、長さ５０ｃｍ〜１０ｍ程度の、柱状か、あるいは、内部が空洞の筒状である。中でも、旗竿本体１１が筒状であると、旗竿１全体が軽量化して支えやすくなるため好ましい。旗竿本体１１の直径や長さは、材料や使用目的に応じて適宜変更すればよいが、横断面形状については、後述するスリーブ１２の回転をスムーズに行うために、円形であることが望ましい。
【００２８】
旗竿本体１１の材料は、スリーブ１２と旗布２の重量を支え、旗布２の掲揚に耐えうるものであれば特に限定されるものではないが、例えば、炭素繊維もしくはガラス繊維と合成樹脂との複合材料、木、竹、合成樹脂、金属からなるものが挙げられる。中でもステンレス鋼が、耐摩耗性に優れることから好適である。なお、本実施の形態では直径１５ｍｍ、長さ２．２ｍの円筒状のＳＵＳ３０４からなるステンレス鋼管を用いている。また、旗竿本体１１は、その表面を塗料や熱収縮フィルムなどで被覆したものであってもよい。旗竿本体１１を被覆する材料は、スリーブ１２との摩擦が少ないものが好ましく、これにより低荷重で容易にスリーブ１２を回転させられる。
【００２９】
次に、スリーブ１２について説明する。スリーブ１２は、旗布２を保持するとともに、旗布２の回転にしたがって旗竿本体１１を中心軸として図１中の矢印のように回転することで、旗布２の旗竿１への絡まりを防ぐものである。このために、スリーブ１２は、旗竿本体１１を軸とした回転ができるように、旗竿本体１１に外嵌されている。
【００３０】
なお、本実施の形態で用いたスリーブ１２の形状は、外径２５ｍｍ、内径２０ｍｍ、長さ９５０ｍｍの筒状であり、重さは１６０ｇである。スリーブ１２の内孔の断面形状は、旗竿本体１１と同様に、スリーブ１２の回転をスムーズに行うために、円形であることが望ましい。
【００３１】
ここで、スリーブ１２が回転しやすくするために、スリーブ１２は合成樹脂からなることが好ましい。これにより、スリーブ１２が軽量となり、旗が風の力によって靡くことによる回転に対応して、スムーズに回転することができる。また、上記合成樹脂としては、スリーブ１２の旗竿本体１１との摩擦が少なく、スリーブ１２が低荷重で容易に回転するようなものが好ましく、例えば、ポリプロピレン、ポリエチレン、ポリ塩化ビニルなどの合成樹脂が好ましい。また、このような合成樹脂を、炭素繊維、ガラス繊維、タルクなどの無機充填材と複合させた複合材料も好適である。なお、本実施の形態では、ポリプロピレンからなるスリーブ１２を使用している。
【００３２】
さらに、スリーブ１２が回転しやすくするためには、スリーブ１２の筒の内径が、旗竿本体１１の直径よりも５ｍｍ以上２０ｍｍ以下大きくすることが好ましい。本実施の形態では、旗竿本体１１の直径を１１ｍｍとし、スリーブ１２の内径を２０ｍｍとしているため、スリーブ１２が良好に回転する。また、スリーブ１２の長さは、通常、旗布２の旗竿と略平行の辺と同じ程度の長さであるが、５ｍ以下、好ましくは２ｍ以下とすることで、より良好に回転させることができる。
【００３３】
なお、スリーブ１２と旗竿本体１１との間の回転を容易にするために、相対する表面の少なくとも１方をシリコーン樹脂、フッ素樹脂、潤滑油などで被覆してもよい。
【００３４】
また、スリーブ１２は、その軸方向と旗布２の一辺が略平行となるように、旗布２の一辺の端部を保持できる取り付け部２０を有していることが好ましい。取り付け部２０により旗布２をスリーブ１２に取り付けると、旗布２の一辺がスリーブ２０に対してずれないので、旗布２のよれが防がれる。
【００３５】
上記取り付け部２０は、具体的には、ポリプロピレンからなる幅３ｃｍ、長さ３ｃｍ、厚さ４ｍｍの板に紐付け用の直径１０ｍｍの穴を開けたものであり、スリーブ１２の外側の表面に軸方向に複数個設けられている。そして、旗布２は、その一辺に設けられた直径３ｍｍ程度の紐を、上記の紐付け用の穴に結束することによって、旗布２を良好に保持できる。なお、この取り付け部２０は、旗布２を取り付けられる、スリーブ１２に外嵌された鍔状の部材であってもよい。また、取り付け部２０は、旗布２をスリーブ１２に接着固定するものであってもよく、紐などにより旗布２をスリーブ１２に着脱可能に取り付けるものであってもよい。
【００３６】
また、スリーブ１２の旗竿本体１１上での軸方向の移動を規制されることが好ましい。これにより、スリーブ１２の旗竿本体１１からの抜けが防がれるとともに、旗布２の動きに対してスリーブ１２が軸方向へ移動することが防がれるので、旗布２の動きがスリーブ１２の回転を起こさせやすくなる。
【００３７】
この規制のためには、旗竿本体１１におけるスリーブ１２の設置位置の上と下とに、鍔状に形成された部材（鍔状部材）である、下部ストッパー１３、および上部ストッパー１４を設けることが好ましい。これによれば、下部ストッパー１３および上部ストッパー１４が、スリーブ１２の回転を妨げずに、スリーブ１２の旗竿本体１１上での軸方向の移動を規制できる。また、スリーブ１２の端部が、下部ストッパー１３および上部ストッパー１４の軸方向と垂直な方向に広がる面に接触しながら回転するので、スリーブ１２が回転しやすくなる。
【００３８】
下部ストッパー１３および上部ストッパー１４の材料としては、スリーブ１２を支えられ、スリーブ１２の回転を妨げない滑らかな表面を有するものであればよいが、例えば金属材料を用いることができ、特にステンレス鋼が好ましい。なお、本実施の形態ではステンレス鋼の１種であるＳＵＳ３０４を用いている。
【００３９】
また、スリーブ１２の回転を妨げないためには、下部ストッパー１３と上部ストッパー１４との間の距離を、スリーブ１２の軸方向の長さよりも３ｍｍから５ｍｍ大きくすることが好ましい。
【００４０】
以上のように、旗竿１は、旗布２を保持するスリーブ１２が旗竿本体１１を中心軸として回転できるように外嵌されているため旗竿１に絡まりにくい。また、スリーブ１２の回転は旗布２の自重によって促されるので旗竿１への絡まりが防がれ、たとえ、絡まったとしても、旗布２が風ではためくときにスリーブ１２が回転して絡まりが解かれる。なお、このような作用を、図１の如く、旗竿１の軸方向が非鉛直方向となるように固定構造物３に取り付けられている場合において説明したが、軸方向が鉛直となるように固定構造物３に取り付けられても同様に絡まりが防がれる。
【００４１】
次に、上記構成の旗竿１に旗布２を取り付けた場合のスリーブ１２の動作を説明すると、以下の通りである。
【００４２】
図１に示すとおりに、壁面に旗布２を取り付けた旗竿１を、旗竿１が鉛直方向に対して角度を持った姿勢となるように固定すると、スリーブ１２は、旗布２の重さにより旗布２が取り付けられた取り付け部２０が鉛直方向下に向く状態が保たれる。そして、旗布２が風に靡いて方向を変えた場合には、取り付け部２０が旗布２の靡く方向に向くように、スリーブ１２が旗竿本体１１を軸として回転する。したがって、旗布２が旗竿１に絡まることが防がれる。
【００４３】
例えば、風が旗布２の下から吹き上げた場合、スリーブ１２は取り付け部２０が上に向くように回転する。そして、この状態で風が止まると、再び旗布２の重さにより旗布２が落ちるので、取り付け部２０が鉛直方向下に向くようスリーブ１２が回転する。よって、旗布２の旗竿１への巻きつきを防ぐことができる。ここで、もしスリーブ１２が回転しない場合は、旗布２だけが旗竿１の周りを回転して巻き付いてしまう。
【００４４】
また、もし、旗布２が旗竿１に絡まったとしても、旗布２の重さにより、あるいは旗布２が風に靡くことにより、旗布２を旗竿１から離れる方向に引っ張られて、スリーブ１２が回転するので、旗布２の絡まりが自然に解除される。また、旗布２が自然に解除されないほど旗竿１に絡まったとしても、人が旗布２を旗竿１から離れる方向に引っ張ることで、スリーブ１２が回転して、旗布２の絡まりを簡単に解除できる。
【００４５】
また、旗竿１の向きが略鉛直方向となるように取り付けた場合においても、同様の効果が示される。つまり、旗布２が風に靡いて方向を変えた場合には、取り付け部２０がその方向に向くように、スリーブ１２が旗竿本体１１を軸として回転するので、旗布２が旗竿１に絡まることが防がれる。さらに、旗布２が旗竿１に絡まったとしても、旗布２の重さにより、あるいは旗布２が風に靡くことにより、旗布２を旗竿１から離れる方向に引っ張られて、スリーブ１２が回転するので、旗布２の絡まりが自然に解除される。
【００４６】
このように、本実施の形態の旗竿１は、少なくとも一端を固定構造物３に固定的に設置した場合に、旗布２が風にあおられて絡まることが防がれるので、固定構造物３に設置した場合に、特に効果が大きい。
【００４７】
なお、上述の説明では、旗布２が布からなる方形であり、旗竿１が一辺を保持するものとして説明しているが、旗布２は布製のものに限られるものではなく、紙、不織布、プラスチックシートからなるもの等であってもよい。また、旗布２の形状も方形に限られるものではなく、旗布２の一部を保持して掲揚できるものであれば、三角形の一辺を保持するものでもよく、また少なくとも一点を取り付け部２０に保持される円板や吹き流し等であってもよい。
【００４８】
また、旗竿１は、さらに、スリーブ１２に、スリーブ１２と略垂直な方向に伸びる吊棒を設け、旗布２の２辺をスリーブ１２および吊棒にて保持する構成であってもよいが、旗竿１を軽量とするためには吊棒の設置を省略することが好ましい。
【００４９】
なお、本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００５０】
本発明の旗竿は、特に旗を固定構造物に立てる場合に使用される旗竿として好適に利用できる。上記旗竿は、掲揚する旗の当該旗竿への絡まりを起こりにくくすることができるので、旗の絡まりを解除する手間がかからない。したがって、絡まりの解除が困難な高所への旗の掲揚を行う場合には、特に、好適に使用できる。
【図面の簡単な説明】
【００５１】
【図１】本発明の実施形態を示すものであり、旗を保持した状態の旗竿を示す正面図である。
【符号の説明】
【００５２】
１    旗竿
２    旗布（旗）
３    固定構造物
１１  旗竿本体（軸棒）
１２  スリーブ（筒状体）
１３  下部ストッパー（規制部材）
１４  上部ストッパー（規制部材）
２０  取り付け部
【図１】
2005122029.tif 000003